(57)【要約】【課題】ラック搭載機器を搭載するラックマウント装置をラックに容易に連結して装着できると共にラックの外側から容易に連結を解除して取り外しできるラックマウント装置を提供。【解決手段】ラックマウント装置１０は、ラック５０を構成する４本のマウントアングル５１Ａ〜５１Ｄに、ラック搭載機器６０を保持する一対のマウントキット１１，２１を相互に対向して配置しかつ着脱自在に連結させる。各マウントキット１１，２１を、それぞれフロントマウントとリヤマウントとで構成し、かつ相互に長手方向にスライド自在とすると共にそれぞれの両端部に、各マウントキット１１，２１をマウントアングル５１Ａ〜５１Ｄに連結するキット連結機構１５，１５Ａおよび２５，２５Ａを設け、このキット連結機構１５，１５Ａにマウントキット１１，２１とマウントアングル５１Ａ〜５１Ｄとの連結を離脱させる連結離脱機構を設けた。【選択図】図１
2010062264.tif 000002
【特許請求の範囲】
【請求項１】
ラックを構成する四隅に立設された支柱部材に、ラック搭載機器を保持する一対のマウントキットを相互に対向して配置すると共に着脱自在に連結するラックマウント装置であって、
前記一対のマウントキットを、それぞれフロントマウントとリヤマウントとで構成すると共にこれらのフロントマウントとリヤマウントとを相互に長手方向にスライド自在に構成し、前記各マウントキットの両端部に当該各マウントキットを前記支柱部材に連結するキット連結機構を設け、このキット連結機構に前記マウントキットと前記支柱部材との連結を離脱させる連結離脱機構を設けたことを特徴とするラックマウント装置。
【請求項２】
前記請求項１に記載のラックマウント装置において、
前記各フロントマウントを、前記各リヤマウントをガイドするガイド面と当該ガイド面に設けられたガイド部材と前記ガイド面と直交しかつ前記対向配置された互いに相手のフロントマウント側に延び前記ラック搭載機器を保持する保持面とを有して形成し、
前記各リヤマウントを、前記ガイド面に沿ってスライドするスライド面と前記ガイド部材に係合するスライドレール部とを有して形成したことを特徴とするラックマウント装置。
【請求項３】
前記請求項１または請求項２に記載のラックマウント装置において、
前記キット連結機構を、前記各マウントキットの前記各フロントマウントおよび前記各リヤマウントを互いが接近する方向にスライドさせたとき前記支柱部材に係合する係合手段と、前記各フロントマウントおよび前記各リヤマウントと前記支柱部材とが係合した状態を係止する係止手段と、を備えて構成し、この係止手段に前記連結離脱機構が備えられていることを特徴とするラックマウント装置。
【請求項４】
前記請求項３に記載のラックマウント装置において、
前記各フロントマウントの前記係合手段を、
前記リヤ側マウントの反対側端部において対向する各フロントマウントの外側に向けて折り曲げ形成されたフロント側押え部と、このフロント側押え部の内側に設けられ前記支柱部材の位置決め穴に係合するフロント側位置決めピンと、で構成し、
前記係止手段を、
ガイド面の前記フロント側押え部側端部に設けられ前記支柱部材に前記フロントマウントをガイドさせて最終端まで移動させたとき前記支柱部材の一辺に係止される弾性部材からなるフロント側ガイド部材と、前記ガイド面に形成され前記フロント側ガイド部材が前記支柱部材の一辺に押されて前記ガイド面側に移動することを許容するフロント側開口部と、を備えて構成したことを特徴とするラックマウント装置。
【請求項５】
前記請求項４に記載のラックマウント装置において、
前記フロント側ガイド部材を、
前記フロント側開口部の前記リヤマウント側縁部に固定される固定端部と、この固定端部から前記フロント側押え部側に延びる平坦面と、この平坦面に連続すると共に前記フロント側押え部側に向かって形成されかつ当該フロント側押え部側に行くに従って前記支柱部材側の方向に傾斜する傾斜部と、この傾斜部の先端から前記ガイド面側に向かって折り曲げられると共に前記平坦面の延長上に延びて形成され前記折り曲げられた部位の先端部側で前記支柱部材を押え込み係止するフロント側係止部と、を有する形状とし、このフロント側係止部の先端に前記連結離脱機構が設けられていることを特徴とするラックマウント装置。
【請求項６】
前記請求項５に記載のラックマウント装置において、
前記リヤマウントの前記係合手段を、
当該リヤマウントの前記フロントマウントと反対側端部に当該フロントマウントの押え部と同じ方向に折り曲げ形成されたリヤ側押え部と、このリヤ側押え部の内側に設けられ前記支柱部材の位置決め穴に係合するリヤ側位置決めピンと、で構成し、
前記係止手段を、
前記スライド面の前記リヤ側押え部近傍に設けられ前記支柱部材に前記リヤマウントをガイドさせ最終端まで移動させたとき前記支柱部材の一辺に係止される弾性部材からなるリヤ側ガイド部材と、前記スライド面に形成され前記リヤ側ガイド部材が前記支柱部材の一辺に押されて前記スライド面側に移動することを許容するリヤ側開口部と、を備えて構成し、
前記連結離脱機構が前記リヤ側ガイド部材の先端に設けられていることを特徴とするラックマウント装置。
【請求項７】
前記請求項６に記載のラックマウント装置において、
前記リヤ側ガイド部材を、
前記リヤ側開口部の前記フロント側縁部に固定される固定端部と、この固定端部から前記リヤ側押え部側に延びる平坦面と、この平坦面に連続すると共に前記リヤ側押え部側に向かって形成されかつ当該リヤ側押え部側に行くに従って前記支柱部材側の方向に傾斜する傾斜部と、この傾斜部の先端から前記スライド面側に向かって折り曲げられると共に前記平坦面の延長上に延びて形成され前記折り曲げられた部位の先端部側で前記支柱部材を押え込み係止するリヤ側係止部と、を有する形状とし、このリヤ側係止部の先端に前記連結離脱機構を設けたことを特徴とするラックマウント装置。
【請求項８】
前記請求項２に記載のラックマウント装置において、
前記キット連結機構を、前記各マウントキットの前記各フロントマウントおよび前記各リヤマウントを互いが離れる方向にスライドさせたとき前記支柱部材に係合する係合手段と、前記各フロントマウントおよび前記各リヤマウントと前記支柱部材とが係合した状態を係止する係止手段と、を備えて構成し、この係止手段に前記連結離脱機構が備えられていることを特徴とするラックマウント装置。
【請求項９】
前記請求項８に記載のラックマウント装置において、
前記各フロントマウントの前記係合手段を、
前記各リヤ側マウントの反対側端部にあって対向する各フロントマウントの外側に向けて折り曲げ形成されたフロント側押え部と、このフロント側押え部の外側に設けられ前記支柱部材の位置決め穴に係合するフロント側位置決めピンと、で構成し、
前記係止手段を、
前記ガイド面の前記フロント側押え部側の端部に設けられ前記支柱部材に前記フロントマウントをガイドさせて最終端まで移動させたとき前記支柱部材の一辺に係止するフロント側係止部を有し弾性部材からなるフロント側ガイド部材と、
前記ガイド面に形成され前記フロント側ガイド部材が前記支柱部材の一辺に押されて前記ガイド面側に移動することを許容するフロント側開口部と、を備えて構成したことを特徴とするラックマウント装置。
【請求項１０】
前記請求項９に記載のラックマウント装置において、
前記フロント側ガイド部材を、
前記フロント側開口部の前記リヤマウント側縁部に固定される固定端部と、この固定端部から前記フロント側押え部位置まで延びる平坦面と、この平坦面に連続すると共に前記フロント側押え部を越えた位置で前記支柱部材側方向に折り曲げられこの折り曲げ部位の先端部側で前記支柱部材を押え込み係止するフロント側係止部と、このフロント側係止部の折り曲げ部位に連続して形成され前記平坦面の延長上に行く方向に傾斜する傾斜部と、を有する形状とし、このフロント側係止部の先端に前記連結離脱機構が設けられていることを特徴とするラックマウント装置。
【請求項１１】
前記請求項１０に記載のラックマウント装置において、
前記リヤマウントの前記係合手段を、
当該リヤマウントの前記フロントマウントと反対側端部に当該フロントマウントの押え部と同じ方向に折り曲げ形成されたリヤ側押え部と、このリヤ側押え部の外側に設けられ前記支柱部材の位置決め穴に係合するリヤ側位置決めピンと、で構成し、
前記係止手段を、
前記スライド面の前記リヤ側押え部近傍に設けられ前記支柱部材に前記リヤマウントをガイドさせ最終端まで移動させたとき前記支柱部材の一辺に係止する弾性部材からなるリヤ側ガイド部材と、前記スライド面に形成され前記リヤ側ガイド部材が前記支柱部材の一辺に押されて前記スライド面側に移動することを許容するリヤ側開口部と、を備えて構成し、
前記連結離脱機構が前記リヤ側ガイド部材の先端に設けられていることを特徴とするラックマウント装置。
【請求項１２】
前記請求項１１に記載のラックマウント装置において、
前記リヤ側ガイド部材を、前記リヤ側開口部の前記フロント側縁部に固定される固定端部と、この固定端部から前記リヤ側押え部位置まで延びる平坦面と、この平坦面に連続すると共に前記リヤ側押え部を越えた位置で前記スライド面から離れる方向に折り曲げられこの折り曲げ部位と前記リヤ側押え部とで前記支柱部材を挟み込み係止するリヤ側係止部と、このリヤ側係止部の折り曲げ部位に連続して形成され前記平坦面の延長上に行く方向に傾斜する傾斜部と、を有する形状とし、このリヤ側係止部の先端に前記連結離脱機構を設けたことを特徴とするラックマウント装置。
【発明の詳細な説明】
【技術分野】
【０００１】
本発明は、ラックマウント装置に関し、より詳しくは、電子機器等のラック搭載機器を装備するラックマウント装置をラックに容易に連結することができると共に、容易に連結を解除することができるラックマウント装置に関する。
【背景技術】
【０００２】
近年、ＩＴ機器システム、ＮＷ機器システムは機能に適したラック搭載機器を複数のラックに複合的に搭載して、最適化を図っている。また、これらのＩＴ機器、ＮＷ機器の性能、機能の向上が著しく、そのため、製品寿命が短く、それに伴って機器交換、増設等の頻度も多くなっている。そして、この増設／交換もオンライン状態で行なう方向にある。
【０００３】
ラックに取り付けられたマウントアングルやマウントレールに、各種機器を載置した台板等を支持するために開発された技術が知られている（例えば、特許文献１参照）。
この特許文献に開示されたＬ型レールの取付け構造の一例として、Ｌ型レールを前後の２つにスライド可能に分割し、Ｌ型レールの長さを変更可能としたものが示されている。
これによれば、Ｌ型レールの前レールの前端部と後レールの後端部とに平行ピンを取り付けてある。これらの平行ピンをマウントアングルとマウントレールの取付け穴に差し込み、その後、前レールと後レールとに形成された複数の取付けネジ穴のうち、最適の取付けネジ穴に取付けネジを挿通させ、締め付け固定している。
【０００４】
また、従来のラック搭載機器に使用されるマウントキットで、ワンタッチ機構を採用しているものもある。このワンタッチ機構のロック解除では、マウントキットのロック部を直接操作するものがほとんどである。
【０００５】
【特許文献１】特開２００３−１５９１２９号公報
【発明の開示】
【発明が解決しようとする課題】
【０００６】
しかし、前記特許公報のラックマウント装置では、まず、どちらか一方のレールの平行ピンをマウントアングルのピン用取付け穴に差し込み、次いで、他方のレールをマウントレール側にスライドさせて、そのレールの平行ピンをマウントレールのピン用取付け穴に差し込んでいる。そして、両レールをスライドさせて突っ張った状態にし、その状態を維持できるように、両レールの取付け穴に取付けネジを挿通させて締め付け固定している。そのため、多くの手間がかかり、面倒であるという問題が生じる。
【０００７】
また、両レールの取付け穴に取付けネジを挿通させて締め付け固定しているが、締め付けが弱いと、取付けネジが緩み、振動等により両レールが縮小するおそれがある。そうすると、両レールの平行ピンが外れ、Ｌ形レールがマウントレールから外れてしまい、結果的に、Ｌ形レールの上面に載置されたラック搭載機器が落下し、破損してしまうという問題がある。
【０００８】
さらに、平行ピンが完全にマウントレール等のピン用取付け穴に差し込まれている状態のとき、前レール等の複数の取付けネジ穴のうち、上記状態を維持できる最適の取付けネジ穴が必ずしも見つかる訳ではない。そのため、最も近い条件の取付けネジ穴に取付けネジを挿通させて締め付け固定した場合でも、Ｌ形レールの全長は短くなり、その結果、Ｌ形レールの両端の平行ピンとマウントレール等のピン用取付け穴とに長さ方向のガタが生じる。そうすると、Ｌ形レールにラック搭載機器を装備した後、振動等によりラック搭載機器が上記ガタの分だけ移動するおそれがあり、ラック搭載機器に悪影響が及ぶという問題も生じる。
【０００９】
また、従来のラック搭載機器に使用されるマウントキットにおけるワンタッチ機構では、マウントキットをラックに固定するためのロック部が設けられ、このロック部は、マウントキットの背面に設けられていることが多い。ロック部にはストッパーが設けられ、ロックを解除するにはラックマウントキットの背面に手を入れてストッパーを解除しなければならない。
【００１０】
ところで、ラック搭載機器の上下には、別のラック搭載機器が搭載されるなど、隙間なく機器が搭載されている。このような状態では、ラックマウントキットの交換時に、ロックを解除するためには、狭い隙間のなかで、さらにラックマウントキットの背面に手を入れてストッパーを解除しなければならない。そのため、作業が困難となり、交換作業の効率が悪いという問題が生じている。
【００１１】
最悪の場合、交換する機器の上下機器をも一旦外さなければならない場合も考えられ、そうなると、オンライン保守には適さず、採用する機器も限られてくるという問題もある。
【００１２】
本発明では、上記各問題点を解決するために、ラック搭載機器を搭載するラックマウント装置をラックに容易かつ確実に連結して装着できると共に、容易に連結を解除して取り外しできるラックマウント装置を提供することを目的とする。
【課題を解決するための手段】
【００１３】
上記目的を達成するため、本発明のラックマウント装置は、ラックを構成する四隅に立設された支柱部材に、ラック搭載機器を保持する一対のマウントキットを相互に対向して配置すると共に着脱自在に連結するラックマウント装置であって、前記一対のマウントキットを、それぞれフロントマウントとリヤマウントとで構成すると共にこれらのフロントマウントとリヤマウントとを相互に長手方向にスライド自在に構成し、前記各マウントキットの両端部に当該各マウントキットを前記支柱部材に連結するキット連結機構を設け、このキット連結機構に前記マウントキットと前記支柱部材との連結を離脱させる連結離脱機構を設けたことを特徴とする。
【発明の効果】
【００１４】
本発明のラックマウント装置は、上記のように構成されているので、一対のマウントキットを構成するフロントマウントとリヤマウントとが、ラックの各支柱部材に対向して配置された後、適宜スライドされて各支柱部材間に配置されると共に、それぞれキット連結機構により各支柱部材に連結される。そのため、フロントマウントとリヤマウントとをスライドさせるだけで、キット連結機構の作用により一対のマウントキットをラックに連結できるので、ラック搭載機器を搭載するラックマウント装置をラックに容易かつ確実に連結して装着できる。
また、キット連結機構には連結離脱機構が設けられており、この連結離脱機構を操作することでマウントキットと支柱部材との連結を離脱させることができるので、容易に連結を解除してマウントキットを取り外しすることができる。
【発明を実施するための最良の形態】
【００１５】
以下に、図１〜図８を参照して、本発明のラックマウント装置（以下には単に装置という）１０の第１実施形態を説明する。
【００１６】
図１は上記装置１０をラック５０に取り付けた全体斜視図を示し、図２は装置１０を構成する一対のマウントキットのうち第１ラックマウントキット（以下には単に第１キットという）１１の全体斜視図を示し、図８は装置１０を構成する一対のマウントキットのうち第２ラックマウントキット（以下には単に第２キットという）１２の全体斜視図を示す。なお、装置１０には電子機器等のラック搭載機器６０が装備されている。
【００１７】
まず図１に基づいて、装置１０が取り付けられる上記ラック５０を説明する。
ラック５０は、四隅に立設された支柱部材であるマウントアングル５１Ａ，５１Ｂ，５１Ｃ，５１Ｄを備えて構成されている。これらのマウントアングル５１Ａ〜５１Ｄの前記第１キット１１および第２キット１２が装着される側面には、それぞれ上下方向に等間隔で、例えば丸穴状の位置決め穴５２（図７も参照）が開けられている。
【００１８】
図１に示すように、第１キット１１と第２キット２１とは一対となっており、前記ラック搭載機器６０を挟んで左右対称、つまり勝手違いに形成されている。これらのキット１１，２１は上述のように左右対称となっているが、その構成はまったく同じである。
【００１９】
図１，２に示すように、第１キット１１は、フロントマウント１２と、このフロントマウント１２と当該フロントマウント１２の長手方向（矢印Ａ方向）に沿って相互にスライド自在となったリヤマウント１３とを備えて構成されている。
そして、フロントマウント１２とリヤマウント１３が相互にスライド自在となるように構成することで、第１キット１１の全長を調整することができる。
その結果、ラック５０のマウントアングル５１Ａ，５１Ｂ間の距離に自在に対応することができる。
【００２０】
フロントマウント１２は、図３にも示すように、例えば、薄板鋼板を折曲げ加工等することにより形成され、リヤマウント１３をスライド自在にガイドする所定幅寸法および所定長さ寸法の前記ガイド面部１２Ａを有している。
ガイド面部１２Ａの幅方向下端部には、前記ラック搭載機器６０の底部を載置保持する保持面としてのマウント部１２Ｂが設けられている。マウント部１２Ｂは、ガイド面部１２Ａの幅寸法より狭い幅寸法に形成されている。また、これらのガイド面部１２Ａとマウント部１２Ｂとは、例えば折曲げ加工により９０度折曲げた断面Ｌ字状に形成され、両者１２Ａ，１２Ｂは略同じ長さになっている。さらに、マウント部１２Ｂは前記第２キット２１側に向いている。
【００２１】
フロントマウント１２の長手方向においてリヤマウント１３とは反対側の一端部には、上記フロントマウント１２をマウントアングル５１Ａに連結するフロント側キット連結機構１５が設けられている。
このキット連結機構１５は、図４〜図６に詳細を示すように、前記ガイド面部１２Ａの一端部を前記マウント部１２Ｂとは反対側、つまりラック搭載機器６０とは反対側に、例えば折曲げ加工により９０度折曲げて形成されたフロント側押え部１２Ｃを有している。
【００２２】
このフロント側押え部１２Ｃの高さ方向の両端部には、リヤマウント１３側（内側）に向けて配置された位置決めピン１６が取付けられている。これら２個の位置決めピン１６は、前記マウントアングル５１Ａの丸状の位置決め穴５２に係合できるように、それぞれ円柱状部材で形成され、ガイド面部１２Ａから所定間隔をあけて溶接等により押え部１２Ｃの内側面に固着されている。
【００２３】
そして、フロント側押え部１２Ｃと位置決めピン１６とで、フロントマウント１２をマウントアングル５１Ａに係合させる係合手段が構成されている。
なお、位置決めピン１６は上記のように円柱状部材でなくてもよく、マウントアングル５１Ａの位置決め穴５２の形状に合わせて形成すればよい。例えば、マウントアングル５１Ａの位置決め穴５２の形状が例えば四角形形状である場合、その穴に合わせて位置決めピン１６を四角柱部材で形成すればよい。
【００２４】
フロントマウント１２の押え部１２Ｃの近傍には、図４（Ａ）、図６に示すように、フロント側開口部であるフロント側角穴１２Ｄが明けられている。このフロント側角穴１２Ｄは、ガイド面部１２Ａの幅方向略中央部に打抜き加工等により形成され、所定幅寸法でガイド面部１２Ａの押え部１２Ｃ側端部近傍から押え部１２Ｃの幅方向途中にわたって形成されている。
【００２５】
このようなフロント側角穴１２Ｄは、フロント側ガイド部材であるストッパー部材１７で覆われている。
すなわち、ストッパー部材１７は板バネ材で形成されており、当該ストッパー部材１７におけるフロント側角穴１２Ｄのリヤマウント１３側縁部に臨む固定端部が、例えばリベット１８、あるいは溶接等によりガイド面部１２Ａに固定されている。そして、ストッパー部材１７は、ガイド面１２Ａにおいてフロント側押え部１２Ｃ側の面に取り付けられている。
【００２６】
ストッパー部材１７の他端部側は、図６に詳細を示すように、上記フロント側角穴１２Ｄの途中位置まで平坦面１７Ａに形成され、その平坦面１７Ａの途中位置から先端側に所定範囲にわたって、前記フロント側押え部１２Ｃ側に向かい、かつ平坦面１７Ａから離れる方向、つまりフロント側押え部１２Ｃ側に傾斜した傾斜部である傾斜ガイド部１７Ｂが形成されている。
この傾斜ガイド部１７Ｂの先端は、前記ラック５０を構成するマウントアングル５１Ａの一辺の先端部と係合する係合突起部１７Ｃとなっている。
【００２７】
係合突起部１７Ｃの先端には、前記平坦面１７Ａの延長上に形成され、マウントアングル５１の一辺の先端部と係合し、かつ当該マウントアングル５１に係止される係止部１７Ｄが形成されている。
この係止部１７Ｄは、係合突起部１７Ｃから平坦面１７Ａ側に略９０度折り曲げた後、フロント側押さえ部１２Ｃのフロント側角穴１２Ｄを越えた位置まで延ばして形成されている。これにより、ラック５０を構成するマウントアングル５１Ａの一辺の先端部が係合突起部１７Ｃを乗り越えた後、当該係合突起部１７Ｃから折り曲げられた部位とフロント側押さえ部１２Ｃとで押え込まれるようになり、その結果、ストッパー部材１７、ひいてはフロントマウント１２がマウントアングル５１Ａに連結、係止されるようになっている。
【００２８】
係止部１７Ｄの先端側には、当該係止部１７Ｄから外側にわずかに折り曲げられた連結離脱機構である先端操作部１７Ｅが形成されている。上述のように、係止部１７Ｄがその先端側途中から前記フロント側押え部１２Ｃの角穴１２Ｄを越えた位置まで延びているので、先端操作部１７Ｅもフロント側押え部１２Ｃから外方に飛び出していることになる。
そのため、マウントアングル５１にフロントマウント１２を連結した後、そのフロントマウント１２、ひいては第１キット１１を取り外す必要が生じた場合、マウントアングル５１の外側から先端操作部１７Ｅを操作して取り外すことができる。
つまり、ストッパー部材１７と角穴１２Ｄとで係止手段が構成されている。
【００２９】
前述のように、ストッパー部材１７は板バネ材で形成されており、固定端部がガイド面部１２Ａに固定されていることから、マウントアングル５１Ａの一辺の先端部により傾斜ガイド部１７Ｂおよび係合突起部１７Ｃが押されたとき、ガイド面部１２Ａの前記フロント側角穴１２Ｄの縁部を基点として、図６に仮想線で示すように、傾斜ガイド部１７Ｂおよび係合突起部１７Ｃ等がフロント側角穴１２Ｄ側に移動する。
また、ストッパー部材１７とマウントアングル５１Ａとの係合が解除されたときは、板バネ材の復元力により、ストッパー部材１７は初期の形状、位置に戻る。
つまり、フロントマウント１２のフロント側角穴１２Ｄは、ストッパー部材１７のガイド面部１２Ａ側への移動を許容できるようになっている。
【００３０】
そして、ここにおいて、前記ストッパー部材１７とフロント側角穴１２Ｄとにより係止手段が構成され、また、フロント側押え部１２Ｃ、位置決めピン１６、フロント側角穴１２Ｄ、およびストッパー部材１７によって前記フロント側キット連結機構１５が構成されている。
【００３１】
図２に戻って、前記リヤマウント１３とフロントマウント１２とは、前述のように、それぞれの長手方向に沿って互いにスライド自在となっている。リヤマウント１３も例えば薄板鋼板で形成されると共に、その幅寸法がフロントマウント１２の幅寸法よりも小さな寸法のスライド面１３Ａを有している。
リヤマウント１３のスライド面１３Ａの幅方向上端部および下端部は、リヤマウント１３のスライド面部１３Ａを所定幅で折り返した形状とされ、これらの上端部および下端部がスライドレール部１３Ｅ，１３Ｆとなっている。
なお、リヤマウント１３には、前記フロントマウント１２のマウント部１２Ｂに相当する部位は形成されていない。
【００３２】
このようなリヤマウント１３のスライド面１３ＡＡにおいてフロントマウント１２とは反対側の端部には、図７に詳細を示すように、リヤ側キット連結機構１５Ａが設けられている。
すなわち、リヤマウント１３のスライド面１３ＡＡの端部には、前記押え部１２Ｃと同じ方向に折り曲げられたリヤ側押え部１３Ｃが形成され、このリヤ側押え部１３Ｃの内面には、その高さ方向両端部に配置されて前記位置決めピン１６が設けられている。また、スライド面１３ＡＡのリヤ側押え部１３Ｃ側端部には前記フロント側角穴１２Ｄと同じ形状のリヤ側角穴１３Ｄがあけられ、このリヤ側角穴１３Ｄに被さるように、前記ストッパー部材１７が設けられている。
なお、フロントマウント１２のストッパー部材１７と、リヤマウント１３のストッパー部材１７とは、向きが異なるのみで形状はまったく同じなので、同一符号を付してある。
【００３３】
また、ここにおいて、上記リヤ側押え部１３Ｃ、位置決めピン１６、リヤ側角穴１３Ｄ、およびストッパー部材１７によって前記リヤ側キット連結機構１５Ａが構成されている。
【００３４】
そして、以上のようなリヤ側キット連結機構１５Ａは、前記４本のマウントアングル５１Ａ〜５１Ｄのうち、マウントアングル５１Ｂに係止されるようになっている。
【００３５】
以上のような構成のリヤマウント１３とフロントマウント１２とのスライド構造は図３に示すようになっている。
すなわち、フロントマウント１２のガイド面部１２Ａには、前記スライドレール部１３Ｅ，１３Ｆをガイドするガイド部材１９が形成されている。
ガイド部材１９は、フロントマウント１２におけるガイド面部１２Ａの長手方向の３箇所に設けられ、各ガイド部材１９は、図２，３に示すように、上側ガイド１９Ａと下側ガイド１９Ｂとで構成されている。
【００３６】
上側ガイド１９Ａは、ガイド面部１２Ａの長手方向に、略コ字形状を横向きにした状態で細溝状切り込みを形成すると共に、切り込みに沿って上側に略９０度折り曲げ、折り曲げられた部位の略半分がさらにガイド面部１２Ａに平行となるように、かつ下側に向けて折り曲げ形成した形状、つまり断面Ｌ字形状部材を水平部が上となって取り付けた状態となっている。そして、この部位がリヤガイド１３のガイド部となり、かつ抜け防止部となっている。
ここで、切り込みに沿って上側に略９０度折り曲げた後は、図３に示すように矩形形状の開口部１２Ｆとなっている。
【００３７】
下側ガイド１９Ｂは、ガイド面部１２Ａの長手方向に、略コ字形状を横向きにした状態で細溝状切り込みを形成すると共に、切り込みに沿って下側に略９０度折り曲げ、折り曲げられた部位の略半分をさらにガイド面部１２Ａに平行となるように、かつ上側に向けて折り曲げ形成した形状、つまり断面Ｌ字形状部材を水平部が下となって取り付けた状態となっている。そして、この部位がリヤガイド１３のガイド部となり、かつ抜け防止部となっている。
ここで、下側ガイド１９Ｂにおいても、切り込みに沿って上側に略９０度折り曲げた後は、図３に示すように矩形形状の開口部１２Ｆとなっている。
【００３８】
以上のように、上側ガイド１９Ａと下側ガイド１９Ｂとで構成された前記ガイド部材１９にガイドされた前記リヤマウント１３がフロントマウント１２のガイド面部１２Ａに沿ってスライド自在となっている。
【００３９】
図１に戻って、前記第２キット２１は、前述のように第１キット１１と左右対称に形成され、かつ互いに対向配置されている。そして、第２キット２１はラック５０を構成するマウントアングル５１Ｃ，５１Ｄに連結されるようになっている。
すなわち、第２キット２１は、図８に詳細を示すように、また前述したように、前記第１キット１１と向きが異なるのみで、両者２１，１１は略同一構成となっている。
第２キット２１は、フロントマウント２２と、このフロントマウント２２に対してスライド自在なリヤマウント２３とで構成されている。
【００４０】
ここで、フロントマウント２２は、ガイド面部２２Ａと前記保持面であるマウント部２２Ｂとで形成され、前記第１キット１１のフロントマウント１２と同様の構成となっている。そして、第２キット２１のフロントマウント２２のマウント部２２Ｂは前記第１キット１１のフロントマウント１２のマウント部１２Ｂと対向しており、これら両マウント部１２Ｂ，２２Ｂの上面に、前記ラック搭載機器６０が載置されるようになっている。
【００４１】
フロントマウント２２のリヤマウント２３と反対側の一端には、第１キット１１のフロント側キット連結機構１５と同様の構成のフロント側キット連結機構２５が設けられ、さらに、ガイド面部２２Ａのフロント側キット連結機構２５近傍には前記ストッパー部材１７が設けられている。このストッパー部材１７は、第２キット２１が第１キット１１と左右対称に形成されていることから、ガイド面部２２Ａを挟んでマウント部２２Ｂの反対側に設けられている。
また、フロントマウント２２のガイド面部２２Ａには、前記ガイド部材１９が長手方向３箇所に設けられている。
【００４２】
前記リヤマウント２３は、そのリヤ側押え部２３Ｃの向きが前記第１キット１１のリヤマウント１３のリヤ側押え部１３Ｃと異なるのみで、両者２３Ｃ，１３Ｃの構成はまったく同じである。リヤマウント２３の端部には、第１キット１１のリヤ側キット連結機構１５Ａと同様の構成のリヤ側キット連結機構２５Ａが設けられ、さらに、スライド面部２３Ａのリヤ側キット連結機構２５近傍には前記ストッパー部材１７が設けられている。
【００４３】
そして、図８においてフロントマウント２２とリヤマウント２３とのスライド機構は、図８のIII−III 線に沿った断面、つまり前記図３に示すように構成されている。ただし、この図３においては、第２キット２１のフロントマウント２２とリヤマウント２３とは、カッコで囲んで示されている。
【００４４】
次に、図９〜図１１に基づいて、本第１実施形態の装置１０をラック５０に取付ける作用のうち、第１キット１１のフロントマウント１２をラック５０の１本のマウントアングル５１Ａに連結、係止する手順を説明する。
【００４５】
上記ラック５０の４本のマウントアングル５１Ａ〜５１Ｄのうち、１本のマウントアングル５１Ａにフロントマウント１２を取付けるには、まず、図９（Ａ）に示すように、フロントマウント１２のキット連結機構１５側の端部をマウントアングル５１Ａに近づける。
この際、フロントマウント１２とリヤマウント１３とを相対的にスライドさせて、ラック５０のマウントアングル５１Ａ，５１Ｂ間の距離に第１キット１１の長さをおおよそ合わせておく。
【００４６】
次に、フロントマウント１２を、図９（Ａ）に矢印Ｃ１で示す方向に移動させ、図９（Ｂ）に示すように、ストッパー部材１７の平坦面１７Ａの表面をマウントアングル５１Ａの１辺の先端に押し付ける。
【００４７】
その後、その状態を維持したまま、図１０（Ａ）に示すように、フロントマウント１２を矢印Ａ方向に移動させる。そうすると、フロントマウント１２に設けられたストッパー部材１７が平坦面１７Ａから傾斜ガイド部１７Ｂに移行したとき、マウントアングル５１の１辺の先端に押されて、上記傾斜ガイド部１７Ｂ等がストッパー部材１７の基端部を中心としてフロント側角穴１２Ｄの縁部から、矢印Ｂで示すように、フロント側角穴１２Ｄ側に移動する。
【００４８】
傾斜ガイド部１７Ｂがマウントアングル５１の１辺の先端に沿って移動するとき、その押え部１２Ｃに設けられている位置決めピン１６がマウントアングル５１Ａの位置決め穴５２に挿入されて位置決めされ、これにより、フロントマウント１２、ひいては第１キット１１の移動方向と直交する矢印Ｃ方向への移動が規制されることになる。
【００４９】
次に、図１０（Ｂ）に示すように、フロントマウント１２をさらに矢印Ａ１方向に移動させると、ラック５０のマウントアングル５１Ａの位置決め穴５２に位置決めピン１６が完全に挿入される一方で、マウントアングル５１Ａの１辺の先端が係合突起部１７Ｃを乗り越えて係止部１７Ｄに入り込む。
【００５０】
そして、このとき、ストッパー部材１７の傾斜ガイド部１７Ｂ、係合突起部１７Ｃおよび先端操作部１７Ｅが板バネ材の復元力により、フロント側角穴１２Ｄ側に押された状態から初期位置の状態に戻り、図１１（Ａ）に示すように、係合突起部１７Ｃとフロント側押え部１２Ｃにマウントアングル５１Ａの１辺の先端が挟みこまれ、これにより、フロントマウント１２がマウントアングル５１Ａに連結される。
【００５１】
第１キット１１のフロントマウント１２をラック５０のマウントアングル５１Ａから取外すには、図１１（Ｂ）に示すように行なわれる。
すなわち、まず、操作者が指等によって、ストッパー部材１７の先端操作部１７Ｅを矢印Ｄ２方向に押し上げ、ストッパー部材１７の係止部１７Ｄとマウントアングル５１の１辺の先端との係止状態を解除する。その後、係止状態を解除したまま、フロントマウント１２を矢印Ａ２方向に移動させる。
【００５２】
すると、フロントマウント１２の位置決めピン１６がマウントアングル５１Ａの位置決め穴５２から抜き出され、図９（Ｂ）に示した状態と略同じ状態になる。この後、フロントマウント１２をマウントアングル５１Ａから離れる方向に移動させることで、フロントマウント１２とマウントアングル５１Ａとの連結が解除される。
【００５３】
以上には、フロントマウント１２をラック５０のマウントアングル５１Ａへ取付ける手順を説明したが、リヤマウント１３をラック５０のマウントアングル５１Ｂへ取付けるには、リヤマウント１３の移動方向が上記と逆になるだけであり、作用はフロントマウント１２とまったく同じである。
すなわち、図７に示すリヤマウント１３のキット連結機構１５Ａ側を、マウントアングル５１Ｂに対して近づけることによりストッパー部材１７等を作用させて、リヤマウント１３をマウントアングル５１Ｂに連結し、また、ストッパー部材１７等を作用させてリヤ側キット連結機構１５Ａ側をマウントアングル５１Ｂから離すことにより、リヤマウント１３とマウントアングル５１Ｂとの連結を解除し、リヤマウント１３をマウントアングル５１から取り外す。
【００５４】
以上のように、図９〜図１１は、第１キット１１のフロントマウント１２をマウントアングル５１Ａに連結する手順を説明したが、第１キット１１と対向配置される第２キット２１をマウントアングル５１Ｃ，５１Ｄに連結する手順、および連結を解除する手順も図９〜図１１に示す手順と同じである。
ただし、第１キット１１と第２キット２１とは、前述のように、対向配置されているので、図９〜図１１におけるマウントアングル５１Ａが、第２キット２１では５１Ｃであり、マウント部１２Ｂが２２Ｂである。なお、図９〜図１１にはマウントアングル５１Ｃがカッコで示されている。
【００５５】
以上のような実施形態によれば、次のような効果を得ることができる。
（１）一対のマウントキットを構成する第１キット１１および第２キット２１が、その長手方向に相互にスライド自在となっており、各キット１１，２１の長さを調整して、支柱部材５１Ａ，５１Ｂおよび支柱部材５１Ｃ，５１Ｄとに対向して配置された後、キット連結機構１５，１５Ａおよび２５，２５Ａにより各支柱部材５１Ａ，５１Ｂおよび支柱部材５１Ｃ，５１Ｄに連結される。そのため、装置１０をラック５０に容易かつ確実に連結して装着できる。その結果、ラック搭載機器６０の搭載も容易かつ迅速に行なえる。
【００５６】
（２）キット連結機構１５，１５Ａおよび２５，２５Ａには、ストッパー部材１７，３７において、それぞれ連結離脱機構を構成する先端操作部１７Ｅ，３７Ｅがそれぞれ設けられており、この先端操作部１７Ｅ，３７Ｅに手を引っ掛けるなどして操作することで、第１キット１１および第２キット２１と支柱部材５１Ａ，５１Ｂおよび支柱部材５１Ｃ，５１Ｄとの連結を容易に離脱させることができる。その結果、第１キット１１および第２キット２１を支柱部材５１Ａ，５１Ｂおよび支柱部材５１Ｃ，５１Ｄから容易に取り外しすることができる。
【００５７】
（３）ストッパー部材１７，３７に先端操作部１７Ｅ，３７Ｅが設けられ、この先端操作部１７Ｅ，３７Ｅは、第１キット１１および第２キット２１の長さ方向両端から外方、かつ支柱部材５１Ａ，５１Ｂおよび支柱部材５１Ｃ，５１Ｄの外方に位置しており、各キット１１，２１の取り外しに際しては、ラック５０の外側から連結解除が容易にできる。そのため、ラック５０の搭載エリア内に係止機構を設けなくてよく、搭載エリアを最大限に有効に活用できると共に、他のラック搭載機器を外すことなく容易に連結解除できる。
【００５８】
（４）フロントマウント１２に設けられるストッパー部材１７、リヤマウント１３に設けられるストッパー部材１７は、それぞれ板バネ材で形成されており、それぞれ一端部が固定されているので、傾斜部１７Ｂ等が押されたとき、フロント側角穴１２Ｄ、リヤ側角穴１３Ｄ側に移動し、押圧状態が開放されたときバネの復元力で元に戻るように形成されているので、ストッパー部材１７の構造が簡単となっている。ストッパー部材３７についても同じである。
【００５９】
（５）フロントマウント１２およびリヤマウント１３をマウントアングル５１Ａ，５１Ｂに連結する際、それらのマウント１２，１３を互いに近づく方向にスライドさせると、フロント側押え部１２Ｃおよびリヤ側押え部１３Ｃに設けられたそれぞれ２個の位置決めピン１６が、マウントアングル５１Ａ，５１Ｂの位置決め穴５２に嵌まり込み、両者１２，１３と５１Ａ，５１Ｂとがそれぞれ係合する。その結果、フロントマウント１２およびリヤマウント１３のマウントアングル５１Ａ，５１Ｂ側への移動が規制され、これにより、確実な位置決めが可能となる。この効果は、第２キット２１のフロントマウント２２およびリヤマウント２３についても同様に生じる。
【００６０】
（６）第１キット１１のリヤマウント１３、および第２キット２１のリヤマウント２３のスライドレール１３Ｃ，１３Ｄ、および２３Ｃ，２３Ｄは、スライド面１３ＡＡ，２３Ａの幅方向上下端部を折畳んで形成されているので、強度が確保されている。そのため、スライド時等に曲がったりすることがなく、第１キット１１および第２キット２１の連結、連結解除がスムーズ行なえ、作業効率が向上する。
【００６１】
次に、図１２〜図１８に基づいて本発明のラックマウント装置の第２実施形態を説明する。
【００６２】
本第２実施形態のラックマウント装置（以下、単に装置という）３０は、一対の第１キット３１および第２キット４１を備えて構成され、これらの第１キット３１および第２キット４１を、それぞれ、前記ラック５０を構成するマウントアングル５１Ａ，５１Ｂ、およびマウントアングル５１Ｃ，５１Ｄに、その内側から取り付けて連結し、あるいは、その連結の解除ができるような構成としたものである。
【００６３】
前記第１実施形態では、第１キット１１および第２キット２１の取り付けが、各キット１１，２１をそれぞれ長手方向に沿って縮小させながら行なわれていたのに対し、第２実施形態では、各キット３１，４１をそれぞれ長手方向に伸張させながらラック５０に取り付け、連結するようにしたものである。
【００６４】
そのため、本第２実施形態の装置３０では、第１キット３１および第２キット４１におけるそれぞれのフロントマウント３２，４２と、リヤマウント３３，４３との両端部に設けられたフロント側キット連結機構３５，３５Ａ、４５，４５Ａの構成を、第１実施形態と異なる構成としたものである。
その他の構造は、前記第１実施形態のフロント側キット連結機構１５と同じであるため、同じ構造、部材には同一符号を付して、それらについての詳細な説明は省略または簡略化する。
【００６５】
図１３に示すように、装置３０を構成する第１キット３１は、フロントマウント３２とリヤマウント３３とで構成されている。また、第２キット４１は、フロントマウント４２とリヤマウント４３とで構成されている。
【００６６】
第１キット３１のフロントマウント３２は、ガイド面部３２Ａとマウント部３２Ｂとで形成されており、前記第１キット３１のフロントマウント１２と同様の構成となっている。
フロントマウント３２の一端にはフロント側キット連結機構３５が設けられている。また、ガイド面部３２Ａのフロント側キット連結機構３５近傍には前記ストッパー部材１７と同様の働きをするストッパー部材３７が設けられている。
さらに、フロントマウント３２のガイド面部３２Ａには、前記ガイド部材１９が長手方向３箇所に設けられている。
【００６７】
フロント側キット連結機構３５は、図１３に詳細を示すように、前記ガイド面部３２Ａの一端部を折曲げ加工により９０度折曲げて形成されたフロント側押え部３２Ｃを有している。このフロント側押え部３２Ｃは、ガイド面部３２Ａを挟んでマウント部３２Ｂとは反対側に形成されている。
このフロント側押え部３２Ｃの高さ方向の両端部には、外側に突出して前記位置決めピン１６が取付けられている。
そして、このフロント側押え部３２Ｃと位置決めピン１６とで、フロントマウント３２をマウントアングル５１Ａに係合させる係合手段が構成されている。
【００６８】
フロントマウント３２のフロント側押え部３２Ｃ近傍には前記フロント側角穴１２Ｄと同一形状のフロント側角穴３２Ｄが明けられている。このフロント側角穴３２Ｄは前記ストッパー部材３７で覆われている。
本実施形態のストッパー部材３７は、前述のように、第１実施形態のストッパー部材１７と形状が異なっている。
【００６９】
ストッパー部材３７は、前記ストッパー部材１７と同様に板バネ材で形成され、図１５に示すように、リベット１８によりガイド面部３２Ａに固定される固定端と、この固定端から押え部３２Ｃ側に延びた平坦面３７Ａと、平坦面３７Ａの延長上でフロント側押え部３２Ｃを越えた位置からマウントアングル５１Ａ側に折り曲げられた部位とを有して形成されている。
【００７０】
この折り曲げられた部位と平坦面３７Ａの延長上と、フロント側押え部３２Ｃとの間には、マウントアングル５１Ｃの一辺の先端部が係合され、かつ当該マウントアングル５１Ａに係止される係止部３７Ｄとなっている。また、係止部３７Ｄには、当該係止部３７Ｄから折り曲げられフロント側押え部３２Ｃ側に突出して形成された係合突起部３７Ｃが連続しており、この係合突起部３７Ｃは、フロントマウント３２をマウントアングル５１Ａ側に移動させたとき、そのマウントアングル５１Ｃの一辺の先端部と係合し、その一辺の先端部に押されてフロント側角穴３２Ｄ側に移動するようになっている。
以上のように、フロント側角穴３２Ｄはストッパー部材３７の移動を許容するようになっており、両者３２Ｄ，３７によりフロントマウント３２をマウントアングル５１Ｃに係止する係止手段が構成されている。
【００７１】
係合突起部３７Ｃには、その先端突起部からストッパー部材３７の連結離脱機構である先端操作部３７Ｅ側に向かって傾斜する傾斜ガイド部３７Ｂが連続している。この傾斜ガイド部３７Ｂは、フロントマウント３２をマウントアングル５１Ｃ側に移動させるとき、マウントアングル５１Ｃの一辺の先端部を係合突起部３７Ｃまでガイドするようになっている。
【００７２】
傾斜ガイド部３７Ｂの先端には、当該ガイド部３７Ｂからフロント側角穴３２Ｄ側にわずかに折り曲げられた前記先端操作部３７Ｅが連続している。そして、係止部３７Ｄ、係合突起部３７Ｃ、傾斜ガイド部３７Ｂおよび先端操作部３７Ｅが、前記ガイド面部３２Ａから連続しているフロント側押え部３２Ｃのフロント側角穴３２Ｄを越えて、フロント側押え部３２Ｃから外方に飛び出して設けられている。
つまり、先端操作部３７Ｅは、フロントマウント３２をマウントアングル５１Ｃに連結したとき、マウントアングル５１Ｃ、ひいてはラック５０の外部から操作することができるようになっている。
【００７３】
そして、ここにおいて、前記フロント側押え部３２Ｃ、位置決めピン１６、フロント側角穴３２Ｄ、およびストッパー部材３７によって前記第１キット３１におけるフロント側キット連結機構３５が構成されている。
【００７４】
図１３に示すように、前記リヤマウント３３はスライド面３３Ａを有し、このスライド面３３Ａの幅方向上下端部にそれぞれスライドレール部３３Ｅ，３３Ｆが形成されている。
リヤマウント３３は、スライドレール部３３Ｅ，３３Ｆが、フロントマウント３２のガイド面３２Ａおよび前記ガイド部材１９にガイドされて、矢印Ａ方向にスライド自在となっている。したがって、リヤマウント３３の幅寸法はフロントマウント３２の幅寸法よりも小さな寸法に形成されていることになる。
なお、リヤマウント３３には、前記フロントマウント３２のマウント部３２Ｂに相当する部位は形成されていない。
【００７５】
このようなリヤマウント３３のスライド面３３Ａにおいてフロントマウント３２とは反対側の端部には、リヤ側キット連結機構３５Ａが設けられている。
すなわち、図１６に詳細を示すように、リヤ側キット連結機構３５Ａは、前記フロント側キット連結機構３５と取り付けの向きが異なるが、まったく同じ構成となっている。リヤマウント３３のスライド面３３Ａの端部にはリヤ側押え部３３Ｃが形成され、このリヤ側押え部３３Ｃの外表面には、その高さ方向両端部に配置されかつ外側に突出して前記位置決めピン１６が設けられている。また、スライド面３３Ａのリヤ側押え部３３Ｃ側端部近傍には前記フロント側角穴１３Ｄと同じ形状のリヤ側角穴３３Ｄがあけられ、このリヤ側角穴３３Ｄに被さるように、前記ストッパー部材３７が設けられている。
なお、リヤ側のストッパー部材３７は、フロント側ストッパー部材３７と取り付けの向きは変わるが形状が同じなので、同一符号を付してある。
【００７６】
そして、ここにおいて、前記押え部３３Ｃ、位置決めピン１６、リヤ側角穴３３Ｄ、およびストッパー部材３７によって前記リヤ側キット連結機構３５Ａが構成されている。
【００７７】
図１３に示すように、第２実施形態の第２キット４１は、前述のように第１キット３１と左右対称に形成され、かつ互いに対向配置されている。
すなわち、第２キット４１は、上述のように第１キット３１と向きが異なるのみで、両者４１，３１は略同一構成となっている。そして、第２キット４１は、フロントマウント４２と、このフロントマウント４２に対してスライド自在なリヤマウント４３とで構成されている。
【００７８】
ここで、フロントマウント４２は、ガイド面部４２Ａとマウント部４２Ｂとで形成され、前記第１キット３１のフロントマウント３２と同様の構成となっている。そして、第２キット４１のフロントマウント４２のマウント部４２Ｂは、前記第１キット３１のフロントマウント３２のマウント部３２Ｂと対向しており、これら両マウント部３２Ｂ，４２Ｂの上面に、前記ラック搭載機器６０が載置されて保持されるようになっている。
【００７９】
フロントマウント４２の一端には、第１キット３１のフロント側キット連結機構３５と同様の構成のフロント側キット連結機構４５が設けられ、さらに、ガイド面部４２Ａのフロント側キット連結機構２５近傍には前記ストッパー部材３７が設けられている。
また、フロントマウント４２のガイド面部４２Ａには、前記ガイド部材１９が長手方向３箇所に設けられている。
【００８０】
前記リヤマウント４３は、そのリヤ側押え部４３Ｄの向きが前記第１キット３１のリヤマウント３３のリヤ側押え部３３Ｄと異なるのみで、両者４３Ｄ，３３Ｄの構成はまったく同じである。リヤマウント４３の端部には、第１キット３１のリヤ側キット連結機構３５Ａと同様の構成のリヤ側キット連結機構４５Ａが設けられ、さらに、スライド面部４３Ａのリヤ側キット連結機構４５Ａ側の端部には前記ストッパー部材３７が設けられている。
なお、リヤ側のストッパー部材３７は、フロント側ストッパー部材３７と取り付けの向きは変わるが形状が同じなので、同一符号を付してある。
【００８１】
次に、図１７〜図１９に基づいて、本第２実施形態の装置３０をラック５０に取付ける作用のうち、第１キット３１のフロントマウント３２を１本のマウントアングル５１Ａに連結して係止する手順を説明する。
【００８２】
上記ラック５０の１本のマウントアングル５１Ａにフロントマウント３２を取付けるには、まず、図１７（Ａ）に示すように、フロントマウント３２のキット連結機構３５側の端部をマウントアングル５１Ａに近づける。
この際、フロントマウント３２とリヤマウント３３とを相対的にスライドさせて、ラック５０のマウントアングル５１Ａとマウントアングル５１Ｂ間の距離に第１キット３１の長さをおおよそ合わせておく。
次に、ストッパー部材３７の先端操作部３７Ｅの内側面をマウントアングル５１Ａの１辺の先端に押し付ける。
【００８３】
その後、その状態を維持したまま、図１７（Ｂ）に示すように、フロントマウント３２を矢印Ａ２方向に移動させる。そうすると、マウントアングル５１Ａの１辺の先端にフロントマウント３２に設けられたストッパー部材３７の傾斜ガイド部３７Ｂが押されて、上記傾斜ガイド部３７Ｂ等がストッパー部材３７の基端部およびフロント側角穴３２Ｄを中心として、矢印  Ｂで示すようにフロント側角穴３２Ｄ内を移動する。
このとき、位置決めピン１６がマウントアングル５１Ａの位置決め穴５２に挿入され、これにより、フロントマウント３２、ひいては第１キット３１の移動方向と直交する矢印Ｃ方向への移動が規制されることになる。
【００８４】
さらに、図１８（Ａ）に示すように、フロントマウント３２を矢印Ａ２方向に移動させると、ラック５０のマウントアングル５１Ａの位置決め穴５２に位置決めピン１６が完全に挿入される一方で、マウントアングル５１Ａの１辺の先端が係合突起部３７Ｃを乗り越えて係止部３７Ｄに入り込む。
すると、ストッパー部材３７の傾斜ガイド部３７Ｂ、係合突起部３７Ｃおよび先端操作部３７Ｅが板バネ材の復元力により、角穴３２Ｄ側に押された状態から初期位置の状態に戻り、図１８（Ｂ）に示すように、係合突起部３７Ｃがマウントアングル５１Ａの１辺の先端のストッパーとなる。その結果、第１キット３１がマウントアングル５１Ａ、つまりラック５０に連結されることになる。
【００８５】
第１キット３１をラック５０から取外すには、図１９（Ａ）に示すように行なわれる。
すなわち、まず、第１キット３１および第２キット４１に搭載されているラック搭載機器６０を両キット３１，４１から取り外す。次いで、ストッパー部材３７の先端操作部３７Ｅを矢印Ｄ２方向に押し、ストッパー部材３７の係止部３７Ｄとマウントアングル５１Ａの１辺の先端との係止状態を解除し、次いで、フロントマウント３２を矢印Ａ２方向に移動させる。
【００８６】
すると、フロントマウント３２の位置決めピン１６がマウントアングル５１Ａの位置決め穴５２から抜き出され、図１８（Ａ）に示した状態と略同じ状態になる。この後、フロントマウント３２を矢印Ａ１方向に移動させ、つまりマウントアングル５１Ａから離れる方向に移動させることで、フロントマウント３２の取り外しが完了し、フロントマウント３２とマウントアングル５１Ａとの連結が解除される。
【００８７】
以上には、第１キット３１のフロントマウント３２の取付け法を説明したが、リヤマウント３３のマウントアングル５１Ｂへの取付けは、リヤマウント３３の移動方向が上記と逆になるだけであり、作用はフロントマウント３２とまったく同じである。
すなわち、図１４，１６に示すリヤマウント３３のキット連結機構３５Ａ側を、マウントアングル５１Ｂに対して近づけることによりストッパー部材３７等を作用させて、リヤマウント３３をマウントアングル５１Ｂに取付け、また、ストッパー部材３７等を作用させてリヤ側キット連結機構３５Ａ側をマウントアングル５１Ｂから離すことにより、リヤマウント３３をマウントアングル５１Ｂから取り外し、両者３３，５１Ｂの連結を解除する。
【００８８】
以上のように、図１７〜図１９は、第１キット３１のフロントマウント３２を１本のマウントアングル５１Ａに取り付ける手順を説明したが、第２キット４１をマウントアングル５１Ｃに取り付ける手順も図１７〜図１９に示す手順と同じである。
【００８９】
以上のような本第２実施形態によれば、前記（１）〜（７）と略同様の効果を得ることができる。
【００９０】
なお、本発明は前記各実施形態に限定されるものではなく、本発明の目的を達成できる範囲での変形、改良等は本発明に含まれるものである。
例えば、前記各実施形態では、ストッパー部材１７，３７の取付けはリベット１８により行なっていたが、これに限らず、点溶接等により行なってもよい。
【産業上の利用可能性】
【００９１】
本発明のラックマウント装置は、電子機器等のラック搭載機器を装備するラックマウント装置をラックに連結し、あるいは連結を解除する際に利用することができる。
【図面の簡単な説明】
【００９２】
【図１】本発明のラックマウント装置の第１実施形態を示す全体斜視図である。
【図２】前記第１実施形態の第１キットを示す全体斜視図である。
【図３】図２におけるIII−III線に沿った縦断面である。
【図４】(Ａ)は前記第１実施形態の第１キットを構成するフロントマウントの端部を示す正面詳細図であり、（Ｂ）は図４(Ａ)のＢ矢視図である。
【図５】図４におけるＶ矢視図である。
【図６】前記第１実施形態のフロントマウントの端部を示す平断面図である。
【図７】前記第１実施形態のリヤマウントの端部を示す平断面図である。
【図８】前記第１実施形態の第２キットを示す全体斜視図である。
【図９】(Ａ)は前記第１実施形態のフロントマウントをマウントアングルに連結する手順を示す第１の状態を示す図であり、（Ｂ）は第２の状態を示す図である。
【図１０】(Ａ)は前記第１実施形態のフロントマウントをマウントアングルに連結する手順を示す第３の状態を示す図であり、（Ｂ）は第４の状態を示す図である。
【図１１】(Ａ)は前記第１実施形態のフロントマウントをマウントアングルに連結する手順を示す第５の状態を示す図であり、（Ｂ）は第６の状態を示す図である。
【図１２】本発明のラックマウント装置の第２実施形態を示す全体斜視図である。
【図１３】前記第２実施形態の第１キットを示す全体斜視図である。
【図１４】前記第２実施形態の第２キットを示す全体斜視図である。
【図１５】前記第２実施形態のフロントマウントの端部を示す平断面図である。
【図１６】前記第２実施形態のリヤマウントの端部を示す平断面図である。
【図１７】(Ａ)は前記第２実施形態のフロントマウントをマウントアングルに連結する手順を示す第１の状態を示す図であり、（Ｂ）は第２の状態を示す図である。
【図１８】(Ａ)は前記第２実施形態のフロントマウントをマウントアングルに連結する手順を示す第３の状態を示す図であり、（Ｂ）は第４の状態を示す図である。
【図１９】前記第２実施形態のフロントマウントをマウントアングルに連結する手順を示す第５の状態を示す図である。
【符号の説明】
【００９３】
１０  ラックマウント装置（第１実施形態）
１１  一対のマウントキットを構成する第１キット
２１  一対のマウントキットを構成する第２キット
１２，２２  フロントマウント
１２Ｃ，２２Ｃ  係合手段を構成するフロント側押え部
１２Ｄ，２２Ｄ  フロント側開口部であるフロント側角穴
１３，２３  リヤマウント
１３Ｃ，２３Ｃ  係合手段を構成するリヤ側押え部
１３Ｄ，２３Ｄ  リヤ側開口部であるリヤ側角穴
１５  フロント側キット連結機構
１５Ａ  リヤ側キット連結機構
１６  係合手段を構成する位置決めピン
１７  係止手段を構成するストッパー部材
１７Ｂ  傾斜ガイド部
１７Ｅ  連結離脱機構を構成する先端操作部
１９  ガイド部材
３０  ラックマウント装置（第２実施形態）
３１  一対のマウントキットを構成する第１キット
４１  一対のマウントキットを構成する第２キット
３２，４２  フロントマウント
３２Ｃ，４２Ｃ  係合手段を構成するフロント側押え部
３２Ｄ，４２Ｄ  フロント側開口部であるフロント側角穴
３３，４３  リヤマウント
３３Ｃ，４３Ｃ  係合手段を構成するリヤ側押え部
３３Ｄ，４３Ｄ  リヤ側開口部であるリヤ側角穴
３５  フロント側キット連結機構
３５Ａ  リヤ側キット連結機構
３７  係止手段を構成するストッパー部材
３７Ｂ  傾斜ガイド部
３７Ｅ  連結離脱機構を構成する先端操作部
５０  ラック
５１Ａ〜５１Ｄ  支柱部材であるマウントアングル
【図１】
2010062264.tif 000003
【図２】
2010062264.tif 000004
【図３】
2010062264.tif 000005
【図４】
2010062264.tif 000006
【図５】
2010062264.tif 000007
【図６】
2010062264.tif 000008
【図７】
2010062264.tif 000009
【図８】
2010062264.tif 000010
【図９】
2010062264.tif 000011
【図１０】
2010062264.tif 000012
【図１１】
2010062264.tif 000013
【図１２】
2010062264.tif 000014
【図１３】
2010062264.tif 000015
【図１４】
2010062264.tif 000016
【図１５】
2010062264.tif 000017
【図１６】
2010062264.tif 000018
【図１７】
2010062264.tif 000019
【図１８】
2010062264.tif 000020
【図１９】
2010062264.tif 000021